(57)【要約】【課題】容器の口頸部（３８）に容器蓋（２）を装着する際に破断ライン（１８）が偶発的に破断されてしまうことが充分確実に回避されると共に、容器の口頸部を開封する際に破断ラインが破断されることなく口頸部から容器蓋が離脱せしめられることが充分確実に回避される合成樹脂容器蓋の提供。【解決手段】係止突起（３４）間を軸線方向に延びる薄肉部（３６）をタンパーエビデント裾部（２２）に形成する。【選択図】図１
2015101360.tif 000002
【特許請求の範囲】
【請求項１】
円形天面壁と該天面壁の周縁から垂下する円筒形スカート壁とを具備し、該スカート壁には周方向に延びる破断ラインが形成されていて、該スカート壁は該破断ラインよりも上方の主部と該破断ラインよりも下方のタンパーエビデント裾部とに区画されており、該スカート壁の該主部の内周面には雌螺条が形成され、該タンパーエビデント裾部の内周面には周方向に間隔をおいて複数個の係止突起が形成されている合成樹脂製容器蓋において、
該タンパーエビデント裾部には該係止突起間を軸線方向に延在する薄肉部が形成されている、ことを特徴とする合成樹脂製容器蓋。
【請求項２】
該薄肉部は下方に向かって容器蓋閉回転方向に傾斜して直線状に延在せしめられている、請求項１記載の合成樹脂製容器蓋。
【請求項３】
該薄肉部は中心軸線に対して３０乃至６０度傾斜せしめられている、請求項２記載の合成樹脂製容器蓋。
【請求項４】
該薄肉部は該係止突起間の各々に夫々１個形成されている、請求項１から３までのいずれかに記載の合成樹脂製容器蓋。
【発明の詳細な説明】
【技術分野】
【０００１】
本発明は、タンパーエビデント特性を備えた合成樹脂製容器蓋、更に詳しくは円形天面壁とこの天面壁の周縁から垂下する円筒形スカート壁とを具備し、スカート壁には周方向に延びる破断ラインが形成されていて、スカート壁は破断ラインよりも上方の主部と破断ラインよりも下方のタンパーエビデント裾部とに区画されており、スカート壁の主部の内周面には雌螺条が形成され、タンパーエビデント裾部の内周面には周方向に間隔をおいて複数個の係止突起が形成されている合成樹脂製容器蓋に関する。
【背景技術】
【０００２】
周知の如く、外周面には雄螺条とこの雄螺条の下方に位置する係止あご部が配設されている円筒形状の口頸部を有する飲料用容器のための合成樹脂製容器蓋として、例えば下記特許文献１に開示されている如く、円形天面壁とこの天面壁の周縁から垂下する円筒形スカート壁とを具備し、スカート壁には周方向に延びる破断ラインが形成されていて、スカート壁は破断ラインよりも上方の主部と破断ラインよりも下方のタンパーエビデント裾部とに区画されており、スカート壁の主部の内周面には雌螺条が形成され、タンパーエビデント裾部の内周面には周方向に間隔をおいて複数個の係止突起が形成されている合成樹脂製容器蓋が広く実用に供されている。
【０００３】
上記のとおりの合成樹脂製容器蓋は、容器の口頸部に被嵌して閉回転方向、即ち上方から見て時計方向、に回転せしめ、口頸部の雄螺条に容器蓋の雌螺条を螺合せしめることによって口頸部に装着される。タンパーエビデント裾部の内周面に形成されている係止突起は、口頸部の係止あご部を弾性的に乗り越えてその下方に位置せしめられる。容器の内容物を消費するために容器の口頸部を開封する際には、容器蓋を開回転方向、即ち上方から見て反時計方向、に回転せしめる。かくすると、雄螺条に対する雌螺条の螺合が漸次解除され、容器蓋の天面壁及びスカート壁の主部は開方向への回転と共に上昇せんとするが、タンパーエビデント裾部はその内周面に形成されている係止突起が口頸部の係止あご部に係止することによって上昇が阻止され、かくして破断ラインに応力が生成されて破断ラインが破断され、タンパーエビデント裾部がスカート壁の主部から分離される。しかる後においては、タンパーエビデント裾部を口頸部に残留せしめて、天面壁及びスカート壁の主部は開回転方向の回転と共に自由に上昇せしめられて口頸部から離脱され、口頸部が開封される。タンパーエビデント裾部に軸線方向に延在する破断ラインが形成されている形態の合成樹脂製容器蓋においては、周方向に延びる破断ラインの破断は周方向全周ではなくて一部において破断されることなく維持され、タンパーエビデント裾部に形成されている軸方向に延在する破断ラインが破断されてタンパーエビデント裾部が無端環状形態から有端帯状形態にせしめられ、これによって口頸部の係止あご部に対する係止手段の係止が解除され、しかる後にタンパーエビデント裾部を含む容器蓋の全体が開回転方向の回転と共に自由に上昇せしめられて口頸部から離脱され、口頸部が開封される。
【先行技術文献】
【特許文献】
【０００４】
【特許文献１】特開２０１１−１４３９４２号公報
【発明の概要】
【発明が解決しようとする課題】
【０００５】
上記のとおりの形態の合成樹脂製容器蓋においては、（１）容器の口頸部に容器蓋を装着する際、特にタンパーエビデント裾部の内周面に配設されている係止突起が口頸部の係止あご部を弾性的に乗り越える際に、破断ラインが偶発的に破断されてしまうことが充分確実に回避されること、（２）容器の口頸部を開封する際には、破断ラインが破断されることなく口頸部から容器蓋が離脱せしめられる所謂「すっぽ抜け」が発生してしまうことが充分確実に回避されること、が重要である。然るに、上述したとおりの形態の従来の合成樹脂容器蓋には、上記２つの要件が必ずしも充分に満足されず、容器の口頸部に容器蓋を装着する際に破断ラインが偶発的に破断され、或いは容器の口頸部を開封する際に破断ラインが破断されることなく容器蓋の全体が口頸部から離脱されてしまう虞がある。
【０００６】
本発明は上記事実に鑑みてなされたものであり、その主たる技術的課題は、容器の口頸部に容器蓋を装着する際に破断ラインが偶発的に破断されてしまうことが充分確実に回避されると共に、容器の口頸部を開封する際に破断ラインが破断されることなく口頸部から容器蓋が離脱せしめられることが充分確実に回避される、新規且つ改良された合成樹脂容器蓋を提供することである。
【課題を解決するための手段】
【０００７】
本発明者等は鋭意検討の結果、係止突起間を軸線方向に延びる薄肉部をタンパーエビデント裾部に形成することによって上記主たる技術的課題を達成することができることを見出した。
【０００８】
即ち、本発明によれば、上記主たる技術的課題を達成することができる合成樹脂製容器蓋として、円形天面壁と該天面壁の周縁から垂下する円筒形スカート壁とを具備し、該スカート壁には周方向に延びる破断ラインが形成されていて、該スカート壁は該破断ラインよりも上方の主部と該破断ラインよりも下方のタンパーエビデント裾部とに区画されており、該スカート壁の該主部の内周面には雌螺条が形成され、該タンパーエビデント裾部の内周面には周方向に間隔をおいて複数個の係止突起が形成されている合成樹脂製容器蓋において、
該タンパーエビデント裾部には該係止突起間を軸線方向に延在する薄肉部が形成されている、ことを特徴とする合成樹脂製容器蓋が提供される。
【０００９】
好ましくは、該薄肉部は下方に向かって容器蓋閉回転方向に傾斜して直線状に延在せしめられている。該薄肉部は中心軸線に対して３０乃至６０度傾斜せしめられているのが好適である。該薄肉部は該係止突起間の各々に夫々１個形成されているのが好ましい。
【発明の効果】
【００１０】
本発明に従って構成された合成樹脂容器蓋においては、容器の口頸部に容器蓋を装着する際、特にタンパーエビデント裾部の内周面に配設されている係止突起が口頸部の係止あご部を弾性的に乗り越える際に、タンパーエビデント裾部に周方向引張応力が生成されると、薄肉部が拡幅されて周方向引張応力が緩和され、これによって破断ラインが偶発的に破断されてしまうことが充分確実に回避される。容器の口頸部から容器蓋を離脱する際には、容器蓋の開回転方向への回動によってタンパーエビデント裾部に生成される周方向圧縮応力によって薄肉部が縮幅され、これによって係止突起が係止あご部に堅固に係止され、破断ラインが破断されることなく口頸部から容器蓋が離脱せしめられることが充分確実に回避される。
【図面の簡単な説明】
【００１１】
【図１】本発明に従って構成された合成樹脂製容器蓋の好適実施形態を容器の口頸部に装着した状態を、一部を断面で示す正面図。
【図２】図１の容器蓋の底面図
【発明を実施するための形態】
【００１２】
以下、添付図面を参照して、本発明に従って構成された合成樹脂製容器蓋の好適実施形態について、更に詳述する。
【００１３】
図１及び図２を参照して説明すると、ポリエチレン又はポリプロピレンの如き適宜の合成樹脂から射出成形又は圧縮成形することができる容器蓋２は、円形天面壁４とこの天面壁４の周縁から垂下する円筒形スカート壁６とを具備する。天面壁４の内面外周縁部には、下方に垂下する比較的長い円筒形状の内側シール片８と共に下方に垂下する比較的短い円筒形状の外側シール片１０が形成されている。内側シール片８の外周面基端部には環状突出部１２が形成されている。
【００１４】
スカート壁６は比較的肉厚の厚肉上部１４と比較的肉薄の薄肉下部１６を有する。薄肉下部１４の上端部には周方向に延びる破断ライン１８が形成されており、スカート壁６は破断ライン１８より上方の主部２０と破断ライン１８より下方のタンパーエビデント裾部２２とに区画されている。図示の実施形態においては、破断ライン１８は周方向に延びる複数個のスリット（切り溝）２４とスリット２４間に残留せしめられている複数個の橋絡部２６とから構成されており、タンパーエビデント裾部２２は複数個の橋絡部２６を介して主部２０に接続されている。
【００１５】
スカート壁６の主部２０の外周面には、周方向に見て交互に存在する凹凸形状から構成された滑り止めローレット２８が形成されている。スカート壁６の主部２０の内周面には、雌螺条３０と共に軸線方向に延びる複数個の切欠き３２が形成されている。タンパーエビデント裾部２２の内周面には周方向に間隔をおいて複数個の係止突起３４が配設されている。図示の実施形態においては、係止突起３４は周方向に等間隔をおいて５個配設されており、係止突起３４の各々の主部（両端部を除く部分）の断面形状は略直角三角形状であり、略水平方向に延出する上面を有する。
【００１６】
図１と共に図２を参照して説明を続けると、タンパーエビデント裾部２２には係止突起３４間を軸線方向に延在する薄肉部３６が形成されていることが重要である。図示の実施形態においては、隣接する係止突起３４間の各々に夫々１個の薄肉部３６が形成されている。そして、薄肉部３６の各々はタンパーエビデント裾部２２の内周面に溝を生成することによって形成されている。所望ならば、タンパーエビデント裾部２２の内周面に溝を生成することに代えて或いはこれに加えてタンパーエビデント裾部２２の外周面に溝を生成することによって薄肉部３６を形成することもできる。薄肉部３６の幅は０．３乃至０．７ｍｍ程度でよく、薄肉部３６の厚さは０．１乃至０．３ｍｍ程度でよい。薄肉部３６の各々は下方に向かって容器蓋２の閉回転方向に傾斜して直線状に延在せしめられているのが好適である。容器蓋２の中心軸線に対する薄肉部３６の傾斜角度は３０乃至６０度であるのが好ましい。図示の実施形態においては、薄肉部３６はタンパーエビデント裾部２２の上端部から下端縁まで延在せしめられているが、所望ならばタンパーエビデント裾部２２の下端縁よりも若干上方の部位で薄肉部３６を終了せしめることもできる。
【００１７】
図１には容器蓋２と共に容器の口頸部３８も図示されている。ポリエチレンテレフタレートの如き適宜の合成樹脂、ガラス或いは金属薄板から形成することができる容器の口頸部３８は全体として円筒形状であり、口頸部３８の外周面には雄螺条４０と雄螺条４０の下方に位置する係止あご部４２が形成されている。係止あご部４２は下方に向かって外径が漸次増大する弧状の上面及び実質上水平に延在する下面を有する。口頸部３８の外周面には、更に、係止あご部４２の下方に位置するサポートリング４４（かかるサポートリング４４は当業者には周知の如く容器の搬送に利用される）も配設されている。
【００１８】
容器内に内容物を充填した後に口頸部３８に容器蓋２を装着して口頸部３８を密封する際には、口頸部３８に容器蓋２を被嵌して容器蓋２を閉回転方向、図１において上方から見て時計方向、に回転せしめ、容器蓋２の雌螺条３０を口頸部３８の雄螺条４０に螺合せしめる。図１に示す状態まで雌螺条３０を雄螺条４０に螺合せしめると、容器蓋２の内側シール片８が口頸部４０内に侵入して口頸部３８の内周面に密接され、環状突出部１２が口頸部３８の頂面に密接せしめられ、外側シール片１０が口頸部３８の外周面に密接乃至近接せしめられ、かくして口頸部３８が密封される。
【００１９】
図１と共に図２を参照して説明を続けると、口頸部３８に容器蓋２を装着して口頸部３８を密封する際には、タンパーエビデンド裾部２２の内周面に配設されている係止突起３４は口頸部３８の係止あご部４２を弾性的に乗り越え、係止あご部４２の下方に位置せしめられる。係止突起３４が係止あご部４２を弾性的に乗り越える際には、タンパーエビデント裾部２２の内径が拡張され、従ってタンパーエビデント裾部２２には周方向引張応力が生成されるが、本発明に従って構成されている容器蓋２においてはタンパーエビデント裾部２２に薄肉部３６が形成されている故に、上記周方向引張応力によって薄肉部３６が拡幅され、これによって上記周方向引張応力が緩和され、かくして破断ライン１８が偶発的に破断されてしまうことが充分確実に回避される。
【００２０】
内容物を消費するために口頸部３８を開封する際には、容器蓋２を開方向、即ち図１において上方から見て反時計方向、に回転せしめる。かくすると、雄螺条４０と雌螺条３０の螺合が漸次解除され、スカート壁６の主部２０は回転と共に軸線方向上方に移動せしめられる。一方、タンパーエビデント裾部２２は係止突起３４が係止あご部４２に係止せしめられる故に軸線方向上方への移動が阻止され、かくして破断ライン１８の橋絡部２６に応力が生成されて橋絡部２６が破断され、タンパーエビデント裾部２２がスカート壁６の主部２０から切り離される。この際には、容器蓋２の開回転方向への回動に対する摩擦抵抗等に起因してタンパーエビデント裾部２２には周方向圧縮応力が生成され、これによって薄肉部３６が縮幅され、係止突起３４が係止あご部４２に堅固に係止され、かくして破断ライン１８が破断されることなく口頸部３８から容器蓋２が離脱せしめられることが充分確実に回避される。破断ライン１８が破断された後においては、タンパーエビデント裾部２２を口頸部３８に残留せしめて、容器蓋２の天面壁４及びスカート壁６の主部２０は回転と共に軸線方向上方に自由に移動せしめられて口頸部３８から離脱され、かくして口頸部３８が開封される。所望ならば、タンパーエビデント裾部２２に軸線方向破断ラインを形成し、容器の口頸部３８を開封する際には上記軸線方向破断ラインが破断され、一方周方向に延在する破断ライン１８はその一端が破断されることなく維持され、タンパーエビデント裾部２２が無端環状から有端環状に展開され、タンパーエビデント裾部２２と共に容器蓋２の全体が口頸部３８から離脱されるようになすこともできる。
【符号の説明】
【００２１】
２：容器蓋
４：天面壁
６：スカート壁
１８：破断ライン
２０：主部
２２：タンパーエビデント裾部
２６：橋絡部
３４：係止突起
３６：薄肉部
３８：口頸部
４２：係止あご部
【図１】
2015101360.tif 000003
【図２】
2015101360.tif 000004